(57)【要約】      （修正有）【課題】内枠の後面側に制御回路を配置するスペースを容易に確保することができ、発射ソレノイドのメンテナンスも容易に行うことができるパチンコ遊技機を提供すること。【解決手段】前枠２１の閉鎖状態で下皿ユニットの下ソレノイド収納部１８および前枠２１の上ソレノイド収納部２５相互間に連続したソレノイド収納部４５を形成し、発射ソレノイド９をソレノイド収納部４５内に収納した。このため、前枠２１の閉鎖状態で発射ソレノイド９の全てが隠されるので、発射ソレノイド９を破壊等の不正行為から保護することができる。さらに、前枠２１の開放状態で発射ソレノイド９の一部分が露出するので、作業者が内枠を閉鎖したまま前方から発射ソレノイド９をメンテナンスすることができる上に手を発射ソレノイド９および制御回路相互間の狭い隙間に挿入する必要もなくなるので、総じて発射ソレノイド９のメンテナスが容易になる。【選択図】図３
2007319212.tif 000002
【特許請求の範囲】
【請求項１】
パチンコホールの台島に設置される外枠と、
前記外枠に設けられ、前記外枠の前面を覆う閉鎖状態および前記外枠の前面を開放する開放状態相互間で回動可能な内枠と、
前記内枠に設けられ、遊技球が転動可能な遊技領域を有する遊技盤と、
前記内枠の前面側に前記遊技盤の下方に位置して設けられ、遊技球を前記遊技盤の遊技領域内に弾き出す打球槌と、
前記内枠の前面側に前記遊技盤の下方に位置して設けられ、前記打球槌を駆動する駆動源と、
前記内枠の前面側に設けられ、前記遊技盤を前方から閉鎖する閉鎖状態および前記遊技盤を開放する開放状態相互間で開閉可能な前枠と、
前記内枠の前面側に前記前枠の下方に位置して設けられ、遊技球が貯留される貯留皿および貯留皿を支持する皿板を有する貯留皿ユニットと、
前記貯留皿ユニットに設けられた下収納部と、
前記前枠に設けられた上収納部とを備え、
前記下収納部および前記上収納部は、前記前枠の閉鎖状態で相互に連続した収納空間を形成するものであり、
前記駆動源は、前記収納空間に収納されていることを特徴とするパチンコ遊技機。
【請求項２】
前記下収納部は、前記皿板に前記貯留皿の内部に突出するように設けられていることを特徴とする請求項１に記載のパチンコ遊技機。
【発明の詳細な説明】
【技術分野】
【０００１】
本発明は、打球槌を電気的な駆動源の駆動力で動作させることに基づいて遊技球を遊技盤の遊技領域に発射する構成のパチンコ遊技機に関する。
【背景技術】
【０００２】
上記パチンコ遊技機には外枠に内枠を回動可能に装着し、内枠に遊技盤を収納した構成のものがある。外枠はパチンコホールの台島に設置されるものであり、前後面が開口する四角筒状をなしている。内枠は外枠の前面を覆う閉鎖状態および外枠の前面を開放する開放状態相互間で回動可能に外枠に装着されたものであり、前後面が開口する四角筒状をなしている。この内枠には遊技盤の下方に位置して台板が形成されており、打球槌は台板の前面側に取付けられ、駆動源および駆動源を制御する制御回路のそれぞれは台板の後面側に取付けられている。
【特許文献１】特開２００５−１８５６７７号公報
【発明の開示】
【発明が解決しようとする課題】
【０００３】
近年のパチンコ遊技機は図柄表示器が大形化される傾向にあり、図柄表示器の大形化に伴って遊技盤も大形化される傾向にある。この図柄表示器は大当りおよび外れの判定結果を遊技者に報知する図柄遊技の映像が表示されるものであり、図柄表示器の大形化は趣向性に富んだ図柄遊技の映像を表示することを目的になされることが多い。しかしながら、外枠にはパチンコホールの台島に設置される都合から大きさに制限があり、内枠の大きさにも外枠と同様の制限がある。このため、内枠を遊技盤の大形化に伴って大形化することができず、内枠のうち台板のみを小形化して遊技盤の大形化に対応しているのが実情である。従って、駆動源の配置スペースおよび制御回路の配置スペースのそれぞれが狭くなる傾向にあるので、駆動源および制御回路のそれぞれを台板の後面側に配置することが困難になっている。しかも、内枠を開放状態に回動操作して駆動源をメンテナンスするときに作業者が手を駆動源および制御回路相互間の狭い隙間に挿入する必要があり、駆動源のメンテナスを行い難くなっている。
【０００４】
本発明は上記事情に鑑みてなされたものであり、その目的は、内枠の後面側に制御回路を配置するスペースを容易に確保することができる上に駆動源のメンテナンスも容易に行うことができるパチンコ遊技機を提供することにある。
【課題を解決するための手段】
【０００５】
１．請求項１記載のパチンコ遊技機の説明
請求項１記載のパチンコ遊技機は［１］外枠〜［９］上収納部を備えたところに特徴を有している。
［１］外枠はパチンコホールの台島に設置されるものであり、図１の符号１は外枠の一例である。
［２］内枠は外枠に設けられたものであり、外枠の前面を覆う閉鎖状態および外枠の前面を開放する開放状態相互間で回動可能なものである。図２の符号３は内枠の一例であり、図２は内枠３を閉鎖状態で示している。
［３］遊技盤は内枠に設けられたものであり、遊技球が転動可能な遊技領域を有している。図５の符号２８は遊技盤の一例であり、図５の符号３８は遊技盤２８の遊技領域を示している。
［４］打球槌は遊技球を遊技盤の遊技領域内に弾き出すものであり、内枠の前面側に遊技盤の下方に位置して設けられている。図３の符号１２は打球槌１２の一例である。
［５］駆動源は打球槌を駆動するものであり、内枠の前面側に遊技盤の下方に位置して設けられている。このため、内枠の後面側に駆動源を配置する場合に比べて内枠の後面側にスペース的な余裕が生成されるので、制御回路を配置するためのスペースを内枠の後面側に確保し易くなる。図３の発射ソレノイド９は駆動源の一例である。
［６］前枠は内枠の前面側に設けられたものであり、遊技盤を前方から閉鎖する閉鎖状態および遊技盤を開放する開放状態相互間で開閉可能なものである。図１の符号２１は前枠の一例であり、図１は前枠２１を閉鎖状態で示している。
［７］貯留皿ユニットは内枠の前面側に前枠の下方に位置して設けられたものであり、図１の下皿ユニット１６は貯留皿ユニットの一例である。この貯留皿ユニットは遊技球が貯留される貯留皿および貯留皿を支持する皿板を有するものであり、図１の下皿１５は貯留皿の一例であり、図１の下皿板１４は皿板の一例である。
［８］下収納部は貯留皿ユニットに設けられたものであり、図３の下ソレノイド収納部１８は下収納部の一例である。
［９］上収納部は前枠に設けられたものであり、図３の上ソレノイド収納部２５は上収納部の一例である。これら上収納部および下収納部は前枠の閉鎖状態で相互に連続する収納空間を形成するものであり、駆動源は収納空間に収納されている。このため、前枠の閉鎖状態で駆動源の全てが隠されるので、駆動源を破壊等の不正行為から保護することができる。しかも、前枠の開放状態で駆動源の一部が露出するので、作業者が内枠を開放することなく閉鎖したまま前方から駆動源をメンテナンスすることができる。これと共に作業者が手を駆動源および制御回路相互間の狭い隙間に挿入する必要もなくなるので、総じて駆動源のメンテナスが容易になる。図３のソレノイド収納部４５は収納空間の一例である。
２．請求項２記載のパチンコ遊技機の説明
請求項２記載のパチンコ遊技機は下収納部を貯留皿の内部に突出するように皿板に設けたものである。このため、駆動源を内枠の前面側に配置する影響で貯留皿ユニットが前方に局部的に出張ることが抑えられる。
【発明を実施するための最良の形態】
【０００６】
【実施例１】
【０００７】
図１の外枠１はパチンコホールの台島に設置されるものである。この外枠１は前後面が開口する四角筒状をなすものであり、外枠１の前端面には下端部に位置して横長な長方形状の幕板２が固定されている。この外枠１には、図２に示すように、内枠３が左側部の垂直な軸４を中心に回動可能に装着されている。この内枠３は外枠１の前面を覆う閉鎖状態および外枠１の前面を開放する開放状態に軸４を中心に相互に回動操作されるものであり、図２は内枠３を閉鎖状態で示している。この内枠３は前後面が開口する四角筒状をなすものであり、内枠３には左上隅部および右上隅部のそれぞれに位置してスピーカ５が固定されている。
【０００８】
内枠３の下端部には横長な台板６が形成されており、台板６の前面には、図３の（ａ）に示すように、発射レール７が固定されている。この発射レール７は右から左へ向って上昇するものであり、断面Ｖ字状をなしている。この発射レール７の右端部にはストッパベース８が形成されている。このストッパベース８は発射レール７に対して直交する平板状をなすものであり、ストッパベース８には下端部に位置して貫通孔状の打球孔８ａが形成され、打球孔８ａの上方に位置して台形状のストッパ８ｂが固定されている。
【０００９】
台板６の前面には、図３の（ａ）に示すように、発射レール７の下方に位置して円柱状の発射ソレノイド９が固定されている。この発射ソレノイド９はロータリーソレノイドからなるものであり、前後方向へ延びる出力軸１０を有している。この発射ソレノイド９は駆動源に相当するものであり、発射ソレノイド９には、図２に示すように、制御回路１１が接続されている。この制御回路１１は発射ソレノイド９を駆動制御するものであり、台板６の後面に固定されている。
【００１０】
発射ソレノイド９の出力軸１０には、図３の（ａ）に示すように、打球槌１２が連結されており、発射ソレノイド９のオフ状態では打球槌１２が発射レール７から離間する待機位置（図２の実線参照）に回動操作され、発射ソレノイド９のオン状態では打球槌１２が発射レール７に接近する打球位置（図２の二点差線参照）に回動操作される。この打球槌１２の先端部には、図３の（ａ）に示すように、突状の打球部１３が形成されており、打球部１３は打球槌１２が打球位置に回動操作されることに基づいてストッパ８の打球孔８ａを通して発射レール７上に侵入し、打球槌１２が待機位置に回動操作されることに基づいて発射レール７上から退避する。
【００１１】
内枠３の前面側には、図２に示すように、幕板２の上方に位置して横長な長方形状の下皿板１４が固定されている。この下皿板１４は台板６の前方に配置されたものであり、下皿板１４には貫通孔状の賞球払出口が形成されている。この下皿板１４の前面には上面および後面のそれぞれが開口する下皿１５が固定されており、下皿１５の後面は下皿板１４によって塞がれている。これら下皿板１４および下皿１５は下皿ユニット１６を構成するものであり、下皿ユニット１６は貯留皿ユニットに相当し、下皿１５は貯留皿に相当し、下皿板１４は皿板に相当する。
【００１２】
下皿板１４の右端部には、図３の（ａ）に示すように、下ソレノイドカバー１７が形成されている。この下ソレノイドカバー１７は下皿１５の内部に突出するコ字枠状をなすものであり、凹状の下ソレノイド収納部１８を有している。この下ソレノイド収納部１８内には発射ソレノイド９のうち上部を除く一部分が収納されており、発射ソレノイド９の上部は、図２に示すように、下ソレノイド収納部１８から上方に突出している。この下ソレノイド収納部１８は下収納部に相当するものである。
【００１３】
下皿板１４の前面には、図２に示すように、下皿１５の右方に位置してハンドル台１９が固定されている。このハンドル台１９には発射ハンドル２０が前後方向へ延びる軸を中心に回動可能に装着されており、制御回路１１は発射ハンドル２０の時計回り方向への回動量に応じて発射ソレノイド９に対する電流の大きさを調整し、打球槌１２が待機位置から打球位置へ回動する回動力を発射ハンドル２０の時計回り方向への回動量に応じて制御する。
【００１４】
内枠３の前面側には、図１に示すように、前枠２１が左側部の垂直な軸２２を中心に回動可能に装着されており、下皿１６は前枠２１の下方に配置されている。この前枠２１の軸２２は内枠３の軸４と同一の軸線上に設定されたものであり、前枠２１は内枠３の前面を閉鎖する閉鎖状態および内枠３の前面を開放する開放状態相互間で軸２２を中心に回動可能にされ、前枠２１の下端面は、図１に示すように、前枠２１の閉鎖状態で下皿板１４の上端面に接触する。この前枠２１の左上隅部および右上隅部のそれぞれには円形状のスピーカカバー２３が固定されている。これら各スピーカカバー２３は複数の貫通孔を有するものであり、左上隅部のスピーカカバー２３は前枠２１の閉鎖状態で内枠３の左上隅部のスピーカ５の前方に配置され、右上隅部のスピーカカバー２３は前枠２１の閉鎖状態で内枠３の右上隅部のスピーカ５の前方に配置される。
【００１５】
前枠２１の下端部には、図４に示すように、右端部に位置して上ソレノイドカバー２４が形成されている。この上ソレノイドカバー２４は庇状をなすものであり、凹状の上ソレノイド収納部２５を有している。この上ソレノイド収納部２５は上収納部に相当するものであり、発射ソレノイド９の上部は、図３の（ｂ）に示すように、前枠２１の閉鎖状態で上ソレノイド収納部２５内に収納され、図２に示すように、前枠２１の開放状態で露出する。これら上ソレノイド収納部２５および下ソレノイド収納部１８は、図３の（ｂ）に示すように、前枠２１の閉鎖状態で互いに連続する空間状のソレノイド収納部４５を構成するものであり、発射ソレノイド９は下皿１６および前枠２１の両者を跨ぐようにソレノイド収納部４５内に収納されている。このソレノイド収納部４５は収納空間に相当するものである。
【００１６】
前枠２１の前面には、図１に示すように、上皿２６が固定されている。この上皿２６は上面が開口する容器状をなすものであり、上皿２６内に遊技球Ｐ（図３のａ参照）が貯留される。この上皿２６内の遊技球Ｐは上皿２６内から発射レール７上の右端部に１個単位で移送されるものであり、ストッパベース８は発射レール７上の右端部に移送された遊技球Ｐを係止することに基づいて遊技球が発射レール７の右端部から転落することを阻止する。この状態では、図３の（ａ）に示すように、遊技球Ｐが発射レール７の前側部と発射レール７の後側部とストッパ８の下端部の３点に接触する。この遊技球Ｐの移送は打球槌１２が打球位置から待機位置に回動することに電気的に連動して移送機構が行うものであり、打球槌１２の打球部１３は打球槌１２が待機位置から打球位置に回動することに基づいてストッパ８が係止する遊技球Ｐを打球孔８ａを通して叩き、打球部１３が叩いた遊技球Ｐは発射レール７に沿って右から左へ転動した後に発射レール７の左端部から発射される。
【００１７】
内枠３には、図２に示すように、台板６の上方に位置して空間状の遊技盤収納部２７が形成されている。この遊技盤収納部２７内には、図５に示すように、遊技盤２８が収納されており、発射ソレノイド９および打球槌１２のそれぞれは遊技盤２８の下方に配置されている。この遊技盤２８は透明な合成樹脂製の板からなるものであり、遊技盤２８の前面には内レール２９と外レール３０と球止め部材３１のそれぞれが固定されている。内レール２９は上面が開口する円弧状をなすものであり、外レール３０は内レール２９の外周部に配置され、球止め部材３１は内レール２９の右端部および外レール３０の右端部相互間の隙間を塞いでいる。
【００１８】
内レール２９および外レール３０相互間には円弧状の発射通路３２が形成されており、発射通路３２の上端部には出口３３が形成され、発射通路３２の下端部には入口３４が形成されている。この入口３４は発射レール７の左端部に隙間状の球回収口３５を介して対向しており、遊技球Ｐが発射レール７の左端部から限度値を上回る強い勢いで発射されたときには球回収口３５を飛び越えて発射通路３２の入口３４内に進入し、発射通路３２に沿って円弧状の軌跡を描きながら上昇した後に出口３３から放出される。この球回収口３５は下皿１５内に球回収通路を介して接続されており、遊技球Ｐが発射レール７の左端部から限度値以下の弱い勢いで発射されたときには球回収口３５内に落下し、球回収口３５から球回収通路を通して下皿１５内に排出される。
【００１９】
前枠２１には、図４に示すように、円形状の貫通孔３６が形成されている。この貫通孔３６の内周面には透明な窓３７が固定されており、窓３７は前枠２１の閉鎖状態で遊技盤２８の遊技領域３８を前方から視覚的に認識可能に覆う。この遊技領域３８は、図５に示すように、内レール２９と外レール３０と球止め部材３１によって囲まれた領域のうち発射通路３２を除く円形状の部分を称するものであり、発射通路３２の出口３３から放出された遊技球Ｐが転動可能な最大範囲に相当する。この遊技領域３８内には複数の障害釘が固定されており、発射通路３２の出口３３から遊技領域３８内に放出された遊技球Ｐは障害釘に当りながら遊技領域３８内を転動する。
【００２０】
遊技盤２８の遊技領域３８内には始動口３９および特別入賞口４０が固定されている。始動口３９は上面が開口するポケット状をなすものであり、遊技領域３８内を転動する遊技球Ｐは始動口３９内に上面から入賞可能にされている。特別入賞口４０は前面が開放する四角筒状をなすものである。この特別入賞口４０には扉４１が下端部の水平な軸４２を中心に回動可能に装着されており、扉４１は特別入賞口ソレノイドに連結されている。この扉４１は特別入賞口ソレノイドの断電状態で垂直な閉鎖状態になることに基づいて特別入賞口４０の前面を遊技球Ｐが入賞不能に閉鎖するものであり、図５は扉４１を閉鎖状態で示している。この扉４１は特別入賞口ソレノイドの通電状態で前方へ水平に倒れた開放状態に回動するものであり、扉４１の開放状態では遊技領域３８内を転動する遊技球Ｐが扉４１に乗って特別入賞口４０内に前面から転がり込むことが許容される。遊技盤２８の遊技領域３８内にはアウト孔４３が形成されている。このアウト孔４３は内レール２９の最低部に配置されたものであり、始動口３９内および特別入賞口４０内のいずれにも入賞しなかった遊技球Ｐは内レール２９に沿ってアウト孔４３内に転がり込む。
【００２１】
遊技盤２８の後面側には図柄表示器４４が固定されている。この図柄表示器４４は液晶表示器からなるものであり、図柄表示器４４の表示領域は前方から前枠２１の窓３７および遊技盤２８の双方を通して視覚的に認識可能にされている。この図柄表示器４４の表示領域には、図６の（ａ）に示すように、左列の図柄要素と中列の図柄要素と右列の図柄要素のそれぞれとして「１」「２」「３」「４」「５」「６」「７」「８」のいずれかの数字が変動停止状態で表示されており、遊技球Ｐが始動口３９内に入賞したときには、図６の（ｂ）に示すように、３列の図柄要素が変動停止状態から変動状態になる。この変動状態とは縦一列に並ぶ「１」〜「８」の８種の図柄要素を縦方向に表示範囲が移動するようにスクロール表示するものであり、各列の図柄要素は上から下へ移動しながら「１」→「２」→「３」→「４」→「５」→「６」→「７」→「８」→「１」…の順序で循環的に変化する。これら左列の図柄要素と中列の図柄要素と右列の図柄要素は装飾図柄を構成するものであり、装飾図柄は、図６の（ｃ）（ｄ）（ｅ）または（ｃ）（ｄ）（ｆ）に示すように、（１）左列の図柄要素（２）右列の図柄要素（３）中列の図柄要素の順序で変動停止する。
【００２２】
左列の図柄要素と右列の図柄要素と中列の図柄要素の全てが変動停止した状態で大当りの組合せになったときには大当り遊技が開始され、大当りの組合せとは相違する外れの組合せになったときには大当り遊技が開始されない。大当りの組合せは左列の図柄要素と中列の図柄要素と右列の図柄要素が相互に同一な組合せを称するものであり、大当りの組合せには「１１１」「２２２」「３３３」「４４４」「５５５」「６６６」「７７７」「８８８」の８通りが設定されている。大当り遊技は特別入賞口４０の扉４１を開放し、特別入賞口４０内に遊技球Ｐが入賞することを許容する遊技者有利の状態を発生させるものであり、扉４１は特別入賞口４０内に上限値（例えば１０個）の遊技球Ｐが入賞する個数条件または特別入賞口４０の開放時間が上限値（例えば３０ｓｅｃ）に達する時間条件が満足されるまで開放状態に保持される。この扉４１の個数条件および時間条件を基準とする開閉動作は大当りラウンドと称されるものであり、大当りラウンドは固定的な設定回数（例えば１５回）だけ繰返される。
【００２３】
上記実施例１によれば次の効果を奏する。
発射ソレノイド９を内枠３の台板６の前面に取付けた。このため、台板６の後面に発射ソレノイド９を取付ける場合に比べて台板６の後面にスペース的な余裕が生成されるので、制御回路１１を配置するためのスペースを台板６の後面に確保し易くなる。しかも、ピアノ線を下皿板１４および前枠２１相互間に挿入して制御回路１１に不正行為を加えようとしたときにピアノ線が発射ソレノイド９に当ることがあるので、制御回路１１に不正行為を加え難くなる。
【００２４】
前枠２１の閉鎖状態で下皿ユニット１６の下ソレノイド収納部１８および前枠２１の上ソレノイド収納部２５相互間に連続したソレノイド収納部４５を形成し、発射ソレノイド９をソレノイド収納部４５内に収納した。このため、前枠２１の閉鎖状態で発射ソレノイド９の全てが隠されるようになるので、発射ソレノイド９を破壊等の不正行為から保護することができる。しかも、前枠２１の開放状態で発射ソレノイド９の上部が露出するようになるので、作業者が内枠３を開放することなく閉鎖したまま前方から発射ソレノイド９をメンテナンスすることができる。さらに、作業者が手を発射ソレノイド９および制御回路１１相互間の狭い隙間に挿入する必要もなくなるので、総じて発射ソレノイド９のメンテナスが容易になる。
【００２５】
下ソレノイド収納部１８を下皿１５の内部に突出するように下皿板１４に形成したので、発射ソレノイド９を台板６の前面に取付ける影響で下皿ユニット１６が前方に局部的に出張ることが抑えられる。しかも、前枠２１に凹状の上ソレノイド収納部２５を形成したので、発射ソレノイド９を台板６の前面に取付ける影響で前枠２１が前方に局部的に出張ることも抑えられる。
【００２６】
上記実施例１においては、打球槌１２を駆動する駆動源としてモータを用いても良い。
上記実施例１においては、ベニヤ製の遊技盤を用いても良い。
上記実施例１においては、下皿板１４のうち下皿１５に対して位置ずれした部分に下ソレノイド収納部を形成しても良い。
【図面の簡単な説明】
【００２７】
【図１】実施例１を示す図（パチンコ遊技機の全体構成を示す前面図）
【図２】パチンコ遊技機を前枠および遊技盤のそれぞれを除去した状態で示す前面図
【図３】（ａ）は発射ソレノイドの収納状態を示す斜視図、（ｂ）はＸｂ線に沿う断面図
【図４】前枠を示す後面図
【図５】パチンコ遊技機を前枠の除去状態で示す前面図
【図６】図柄表示器の表示内容を示す図
【符号の説明】
【００２８】
１は外枠、３は内枠、９は発射ソレノイド、１２は打球槌、１４は下皿板、１５は下皿、１６は下皿ユニット、１８は下ソレノイド収納部、２１は前枠、２５は上ソレノイド収納部、２８は遊技盤、３８は遊技領域、４５はソレノイド収納部を示している。
【図１】
2007319212.tif 000003
【図２】
2007319212.tif 000004
【図３】
2007319212.tif 000005
【図４】
2007319212.tif 000006
【図５】
2007319212.tif 000007
【図６】
2007319212.tif 000008